(57)【要約】【課題】受信画像データに基づき迷惑ファクスの可能性を判定し、迷惑ファクスの可能性がある場合、その処理内容を決定することにより、迷惑ファクスと非迷惑ファクスの区分ができ、迷惑ファクスにより増加するコストや、迷惑ファクスにより無駄な作業を抑制できる通信端末装置を提供する。【解決手段】ファクシミリ装置１は、ＭＰＵ１０がファクシミリ受信した受信画像データに基づいて迷惑ファクスの可能性を判定する。すなわち、ＭＰＵ１０は黒率Ｂが設定値Ｐ以上の場合は、迷惑ファクスの可能性が高いと判定している。この判定結果に基づいて、ＭＰＵ１０は受信画像データの処理内容を決定する。【選択図】図１
2007158817.tif 000002
【特許請求の範囲】
【請求項１】
ファクシミリ受信した受信画像データに基づいて迷惑ファクスの可能性を判定する判定手段と、
前記判定手段の判定結果に基づいて、前記受信画像データの処理内容を決定する第１決定手段を備えたことを特徴とする通信端末装置。
【請求項２】
ファクシミリ受信した受信画像データの黒率を算出する算出手段と、
前記算出手段の算出結果に基づいて、前記受信画像データの処理内容を決定する第１決定手段を備えたことを特徴とする通信端末装置。
【請求項３】
前記第１決定手段は、前記受信画像データの一部頁の黒率に基づいて、受信ジョブ全体の処理内容を決定することを特徴とする請求項２に記載の通信端末装置。
【請求項４】
前記第１決定手段は、前記受信画像データの全頁の黒率に基づいて、受信ジョブ全体の処理内容を決定することを特徴とする請求項２に記載の通信端末装置。
【請求項５】
印字無しと決定した場合における受信画像データの処理内容を設定する第１設定手段を備え、
前記第１決定手段は、前記算出手段の算出結果に基づいて、印字無しと決定した場合、前記第１設定手段の設定内容に基づいて処理内容を決定することを特徴とする請求項２乃至請求項４のうちいずれか１項に記載の通信端末装置。
【請求項６】
黒率レベルに対応付けて処理内容を設定する第２設定手段を備え、
前記第１決定手段は、前記算出結果に基づいて前記処理内容を決定する際、前記第２設定手段の設定内容を参照し、黒率レベルに基づいて処理内容を決定することを特徴とする請求項２乃至請求項４のうちいずれか１項に記載の通信端末装置。
【請求項７】
前記決定された処理内容を処理履歴情報として記録する記録手段を備えたことを特徴とする請求項１乃至請求項６のいずれか１項に記載の通信端末装置。
【請求項８】
前記処理履歴情報を、前記記録手段に記録するか否かを設定する記録設定手段を備え、
前記記録手段は、前記記録設定手段の設定に応じて、前記処理内容を記録することを特徴とする請求項７に記載の通信端末装置。
【請求項９】
前記記録手段に記録した処理履歴情報を提示する提示手段を備えたことを特徴とする請求項７又は請求項８に記載の通信端末装置。
【請求項１０】
ファクシミリ受信した受信画像データに基づいて迷惑ファクスの可能性を判定する判定手段と、
前記判定手段の判定結果に基づいて、前記受信画像データの印字に使用する用紙を決定する第２決定手段を備えたことを特徴とする通信端末装置。
【請求項１１】
ファクシミリ受信した受信画像データの黒率を算出する算出手段と、
前記算出手段の算出結果に基づいて、前記受信画像データの印字に使用する用紙を決定する第３決定手段を備えたことを特徴とする通信端末装置。
【請求項１２】
前記第３決定手段は、前記黒率に基づいて、印字に使用する用紙の用紙種類を決定することを特徴とする請求項１１に記載の通信端末装置。
【請求項１３】
前記第３決定手段は、前記黒率に基づいて、印字に使用する用紙の用紙サイズを決定することを特徴とする請求項１１に記載の通信端末装置。 
【発明の詳細な説明】
【技術分野】
【０００１】
本発明はファクシミリ通信が可能な通信端末装置に関する。
【背景技術】
【０００２】
従来から、ファクシミリ受信した際に、トナー節約のために、受信画像データにトナー抑制処理を施してトナー抑制機能を備えたファクシミリ装置が提案されている（以下、従来技術１という）。又、トナーや用紙等の消耗品節約のため、受信画像データを印字せずに、ファクシミリ装置内に設けられたメモリに蓄積したり、或いは、受信画像データを印字せずに、ネットワーク上のメモリのフォルダに転送・蓄積することが行われている（以下、従来技術２という）。この場合、蓄積した受信画像データは、必要な場合のみネットワーク上の印字装置で印字できる。
【０００３】
なお、特許文献１には、読取手段にて読み取りした原稿画像の特徴に基づいて、重要な原稿画像か否かを判定し、重要な原稿である場合には複写禁止を行う複写機が開示されている。
【０００４】
特許文献２には、カラーの受信画像データとともに受信した送信局のＩＤ（識別コード）が、記憶装置に登録されていない場合には、前記カラーの受信画像データを白黒変換して、白黒でプリント出力するカラーファクシミリ装置が開示されている。
【０００５】
特許文献３には、カラー画像データを、重要データと非重要データとに区別し、前記重要データを特定の色で出力するカラー画像処理方式の画像出力装置が開示されている。
【特許文献１】特開平７−３８７４７号公報
【特許文献２】特開平６−１２５４７０号公報
【特許文献３】特開平１１−１１２８２１号公報
【発明の開示】
【発明が解決しようとする課題】
【０００６】
しかしながら、従来技術１ではトナーの抑制処理を施して印字する場合、印字された文字等が見難くなり、認識しにくい問題がある。又、従来技術２では、全ての受信画像データを印字せずに、ファクシミリ装置内等に蓄積する場合、蓄積用に大容量のメモリが必要になるとともに、後から印字が必要な受信画像データを選択する作業が必要になり、面倒であるという問題がある。
【０００７】
なお、特許文献１の技術は、受信画像データではなく、読み取りした原稿画像を複写禁止対象とするものであり、目的及び構成が、本発明と異なるものである。特許文献２は、カラーファクシミリ装置において、カラーの受信画像データをカラー出力する場合のコストアップとなるのを防止するための技術であり、予め登録された送信局からの受信画像データのみをカラーでプリント出力するというものである。しかし、この構成は、本発明の迷惑ファクスの可能性を判定しているものではなく、迷惑ファクスを印字してしまう問題がある。又、特許文献３は、カラー画像データを重要データと非重要データとに区別して、該重要データを特定の色で出力して、可読性を高めるようにしたものである。しかし、特許文献３は、迷惑ファクスに対してどのように対応するかの技術は開示されていない。
【０００８】
本発明の目的は受信画像データに基づき迷惑ファクスの可能性を判定し、迷惑ファクスの可能性がある場合、その処理内容を決定することにより、迷惑ファクスと非迷惑ファクスの区分ができ、迷惑ファクスにより増加するコストや、迷惑ファクスにより無駄な作業を抑制できる通信端末装置を提供することにある。
【課題を解決するための手段】
【０００９】
上記問題点を解決するために、請求項１の発明は、ファクシミリ受信した受信画像データに基づいて迷惑ファクスの可能性を判定する判定手段と、前記判定手段の判定結果に基づいて、前記受信画像データの処理内容を決定する第１決定手段を備えたことを特徴とする通信端末装置を要旨とするものである。
【００１０】
請求項２の発明は、ファクシミリ受信した受信画像データの黒率を算出する算出手段と、前記算出手段の算出結果に基づいて、前記受信画像データの処理内容を決定する第１決定手段を備えたことを特徴とする通信端末装置を要旨とするものである。
【００１１】
請求項３の発明は、請求項２において、前記第１決定手段は、前記受信画像データの一部頁の黒率に基づいて、受信ジョブ全体の処理内容を決定することを特徴とする。
請求項４の発明は、請求項２において、前記第１決定手段は、前記受信画像データの全頁の黒率に基づいて、受信ジョブ全体の処理内容を決定することを特徴とする。
【００１２】
請求項５の発明は、請求項２乃至請求項４のうちいずれか１項において、印字無しと決定した場合における受信画像データの処理内容を設定する第１設定手段を備え、前記第１決定手段は、前記算出手段の算出結果に基づいて、印字無しと決定した場合、前記第１設定手段の設定内容に基づいて処理内容を決定することを特徴とする。
【００１３】
請求項６の発明は、請求項２乃至請求項４のうちいずれか１項において、黒率レベルに対応付けて処理内容を設定する第２設定手段を備え、前記第１決定手段は、前記算出結果に基づいて前記処理内容を決定する際、前記第２設定手段の設定内容を参照し、黒率レベルに基づいて処理内容を決定することを特徴とする。
【００１４】
請求項７の発明は、請求項１乃至請求項６のいずれか１項において、前記決定された処理内容を処理履歴情報として記録する記録手段を備えたことを特徴とする。
請求項８の発明は、請求項７において、前記処理履歴情報を、前記記録手段に記録するか否かを設定する記録設定手段を備え、前記記録手段は、前記記録設定手段の設定に応じて、前記処理内容を記録することを特徴とする。
【００１５】
請求項９の発明は、請求項７又は請求項８において、前記記録手段に記録した処理履歴情報を提示する提示手段を備えたことを特徴とする。
請求項１０の発明は、ファクシミリ受信した受信画像データに基づいて迷惑ファクスの可能性を判定する判定手段と、前記判定手段の判定結果に基づいて、前記受信画像データの印字に使用する用紙を決定する第２決定手段を備えたことを特徴とする通信端末装置を要旨とするものである。
【００１６】
請求項１１の発明は、ファクシミリ受信した受信画像データの黒率を算出する算出手段と、前記算出手段の算出結果に基づいて、前記受信画像データの印字に使用する用紙を決定する第３決定手段を備えたことを特徴とする通信端末装置を要旨とするものである。
【００１７】
請求項１２の発明は、請求項１１において、前記第３決定手段は、前記黒率に基づいて、印字に使用する用紙の用紙種類を決定することを特徴とする。
請求項１３の発明は、請求項１１において、前記第３決定手段は、前記黒率に基づいて、印字に使用する用紙の用紙サイズを決定することを特徴とする。
【発明の効果】
【００１８】
請求項１の発明によれば、迷惑ファクスと非迷惑ファクスの区分ができ、迷惑ファクスにより増加するコストや、迷惑ファクスにより無駄な作業を抑制できる効果を奏する。
請求項２の発明によれば、算出された受信画像データの黒率の大きさにより、迷惑ファクスと非迷惑ファクスの区分ができ、迷惑ファクスにより増加するコストや、迷惑ファクスにより無駄な作業を抑制できる効果を奏する。
【００１９】
請求項３の発明によれば、一部の受信画像データに基づいて、処理内容を決定するため、全頁の受信画像データに基づいて、受信ジョブ全体の処理内容を決定する場合に比して、処理の決定が早くでき、大容量のメモリが不要となる。又、全ての受信ジョブについて全頁を一旦受信し、蓄積してから印字することがなく、一部の受信画像データに基づいて、処理内容として、印字を決定した場合には、早く印字できる。
【００２０】
請求項４の発明によれば、全頁の受信画像データに基づいて、受信ジョブ全体の処理内容を決定するため、一部の受信画像データに基づいて、受信ジョブ全体の処理内容を決定する場合に比して、適切な判断（処理内容の決定）ができる。
【００２１】
請求項５の発明によれば、第１決定手段が、印字無しと決定した場合、第１設定手段にて設定された処理内容による処理を行うことができる。
請求項６の発明によれば、第１決定手段は、黒率レベルに対応付けられて設定された処理内容による処理を行うことができる。
【００２２】
請求項７の発明によれば、記録手段に記録した処理履歴情報（印字、消去、転送、蓄積）を、後に読み出すことにより、処理の履歴をユーザは知ることができる。
請求項８の発明によれば、記録設定手段の設定に応じて、処理の履歴を記録する記録手段を備えているため、後に、その記録手段に記録された処理の履歴を読み出すことにより、該処理の履歴を、ユーザは知ることができる。
【００２３】
請求項９の発明によれば、記録手段に記録した処理履歴情報を提示できるため、ユーザは、処理履歴情報を確認することができる。
請求項１０の発明によれば、迷惑ファクスと非迷惑ファクスの区分ができ、迷惑ファクスにより増加するコストや、迷惑ファクスにより無駄な作業を抑制できる効果を奏する。
【００２４】
請求項１１の発明によれば、算出された受信画像データの黒率の大きさにより、迷惑ファクスと非迷惑ファクスの区分ができ、迷惑ファクスにより増加するコストや、迷惑ファクスにより無駄な作業を抑制できる効果を奏する。
【００２５】
請求項１２の発明によれば、算出された受信画像データの黒率に基づいて、印字に使用する用紙の用紙種類を決定するため、迷惑ファクスに対して低廉な用紙を使用することができ、迷惑ファクスによるコストの低減を図ることができる。
【００２６】
請求項１３の発明によれば、算出された受信画像データの黒率に基づいて、印字に使用する用紙の用紙サイズを決定するため、迷惑ファクスに対して用紙サイズの小さな用紙、すなわち、コストが安い用紙を使用することができ、迷惑ファクスによるコストの低減を図ることができる。
【発明を実施するための最良の形態】
【００２７】
（第１実施形態）
以下、本発明の通信端末装置を、ネットワークスキャンが可能なファクシミリ装置に具体化した一実施形態を、図１〜５を参照して説明する。
【００２８】
図１に示すように、ファクシミリ装置１は、ＭＰＵ１０、ＲＯＭ２０、ＲＡＭ３０、読取部４０、記録部５０、操作部６０、表示部７０、画像メモリ８０、コーデック９０、モデム１００、ＮＣＵ１１０及びＬＡＮインターフェィス１２０から構成される。又、各部１０〜１２０はバス１３０を介してそれぞれ接続されている。
【００２９】
ＭＰＵ１０は、ファクシミリ装置１を構成する各部を制御する。ＲＯＭ２０は、ファクシミリ装置１を制御するため、後述する迷惑ファクス対策プログラム等の各種プログラムを記憶している。又、ＲＯＭ２０には、図４に示すメッセージテーブル２００が格納されている。メッセージテーブル２００には、迷惑ファクスに対して行われる処理内容を示す「消去」、「転送」及び「蓄積」と各種メッセージ内容がそれぞれ関連付けられて格納されている。具体的には、処理内容「消去」とは「受信したＦＡＸは、迷惑ＦＡＸの可能性があるため、受信データを印字せずに消去しました。」が関連付けられている。処理内容「転送」とは「受信したＦＡＸは、迷惑ＦＡＸの可能性があるため、受信データを印字せずに指定先に転送しました。」が関連付けられている。又、処理内容「蓄積」とは「受信したＦＡＸは、迷惑ＦＡＸの可能性があるため、受信データを印字せずに蓄積しました。」が関連付けられている。
【００３０】
ＲＡＭ３０は、ファクシミリ装置１に関する各種情報が記憶可能である。例えば、ＲＡＭ３０は、処理内容履歴記憶領域３０ａと、迷惑ファクス対策用の処理設定テーブル記憶領域３０ｂを有する。図２に示すように、処理内容履歴記憶領域３０ａは、ファクス受信毎に、発信元、受信日時、受信枚数、処理内容が互いに関連付けられて記憶される。ここで、ＲＡＭ３０は、記録手段に相当する。
【００３１】
又、処理設定テーブル記憶領域３０ｂは、図３に示すように、迷惑ファクスに対して行う処理内容が格納される。又、処理設定テーブル記憶領域３０ｂは、該処理内容が「転送」の場合には、受信画像データの転送先であるＬＡＮ  Ｌ２
ネットワーク上のＰＣ（パーソナルコンピュータ）の指定先アドレスが関連付けられて記憶可能である。
【００３２】
図１に示す読取部４０は、原稿上の画像を読み取って、読取画像データとして白黒２値のイメージデータを出力する。また、読取部４０は、ＡＤＦ４１（Auto  Document  Ｆeeder）を備えている。ＡＤＦ４１は、原稿台に載置された複数の原稿を１枚ずつ自動的に搬送して、読取部４０にて読み取らせる。読取部４０は、原稿載置板（図示しない）上に載置された静止原稿を読み取るＦＢＳ４２（フラットベッドスキャナ）を備えている。なお、読取部４０は、原稿上の画像を読み取って読取画像データとしてカラー多値データを出力するカラー読取機能を備えていてもよい。
【００３３】
記録部５０は、電子写真方式のプリンタよりなり、受信画像データや、コピー動作において読取部４０にて読み取られた原稿の読取画像データを、記録紙上に記録する。又、記録部５０は、提示手段に相当する。
【００３４】
操作部６０は、ＦＡＸモード、迷惑ファクス対策設定モード等の各種モードに設定や解除するためのモード設定キー６１、宛先(ＦＡＸ番号やメールアドレス)を予め登録しておくことができる短縮ダイヤルキー及び短縮キー６２やワンタッチキー６３を備えている。又、操作部６０は、テンキー（＊，＃キーを含む）６４、原稿の読み取り動作を開始させるためのスタートキー６５、設定キー６６、タッチパネル６７、英文字等を入力するための文字キー６８、表示選択キー（図示しない）等の各種操作キーを備えている。
【００３５】
表示部７０は、ＬＣＤ等よりなり、ファクシミリ装置１の動作状態等の各種情報の表示を行う。表示部７０は、表示画面（図示しない）においてキー画像を表示可能とされている。そして、表示部７０は、表面に公知のタッチパネル６７（図１参照）が設けられている。タッチパネル６７は、前記表示画面上に重ねられてキー画像を透視させるとともにユーザによるキーの押下操作を検出する検知領域を当該キー画像に対応して有している。表示されたキー画像に対応する検知領域が、キーの押下操作を検出すると、ＭＰＵ１０は、そのときに表示していたキー画像に対応するキー入力があったことを検知する。
【００３６】
画像メモリ８０は、ＤＲＡＭ等で構成され、受信画像データや読取部４０で読み取られた読取画像データを一時的に記憶する。コーデック９０は、読取部４０にて読み取られた読取画像データを送信のためにＭＨ，ＭＲ，ＭＭＲ方式等により符号化（エンコード）する。また、コーデック９０は、受信画像データを復号（デコード）する。
【００３７】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌ１との接続を制御するとともに、相手先の電話番号（ＦＡＸ番号を含む）に対応したダイヤル信号の送出及び着信を検出するための機能を備えている。ＬＡＮ  Ｉ／Ｆ（インターフェィス）１２０は、ＬＡＮ（ローカルエリアネットワーク）Ｌ２との接続用インターフェィスであり、ファクシミリ装置１は、このＬＡＮ  Ｉ／Ｆ１２０を介してＬＡＮ  Ｌ２経由で、電子メールの送受信等を行う。そして、ファクシミリ装置１は、ＬＡＮ  Ｉ／Ｆ１２０を介してＬＡＮ  Ｌ２経由で、図示しない複数のネットワーク端末と共有可能とされている。
【００３８】
ファクシミリ装置１は、電子メール（メール通信）によって画像データの通信を行うインターネットファクシミリ機能を有しており、読取部４０で読み取り、画像メモリ８０に記憶した画像データ（受信画像データを含む）を電子メールに添付し、ＬＡＮ  Ｌ２を介して通信可能に接続された、図示はしないが例えばインターネット上の他のネットワーク端末、ＰＣ（パーソナルコンピュータ）やメール端末に送信や転送することができる。又、ファクシミリ装置１は、他の通信端末装置、ＰＣ（パーソナルコンピュータ）やメール端末が送信した電子メールを受信して、当該電子メールに添付された画像データをプリントアウトすることができる。
【００３９】
次に、本実施形態の作用を説明する。
（迷惑ファクス対策設定モード）
まず、迷惑ファクス対策設定について説明する。操作部６０のモード設定キー６１を操作して、迷惑ファクス対策設定モードにし、迷惑ファクスに対する処理内容をユーザが設定する。図５は迷惑ファクス対策設定モードにおける処理内容設定入力のフローチャートである。
【００４０】
Ｓ１０では、ユーザからの処理内容の入力が操作部６０を介して行われる。ユーザの入力は、「消去」、「蓄積」、「転送」のいずれかである。さらに、「転送」の場合には、テンキー６４や文字キー６８により「指定先アドレス」も入力される。
【００４１】
Ｓ２０では、ＭＰＵ１０は、Ｓ１０において入力された処理内容が「消去」又は「蓄積」か否かを判定し、「消去」又は「蓄積」の場合には、Ｓ３０において、処理設定テーブル記憶領域３０ｂの処理内容の欄に、「消去」又は「蓄積」を記憶する。又、Ｓ２０での判定結果が、Ｓ１０において入力された処理内容が「消去」又は「蓄積」ではない場合には、Ｓ４０において、「転送」及び「指定先アドレス」を処理設定テーブル記憶領域３０ｂの処理内容の欄及び指定先アドレスの欄に記憶する。この場合、「指定先アドレス」は、例えば、メールアドレスや、ＩＰアドレスである。指定先アドレスの転送として、例えば、ネットワーク（ＬＡＮ）を経由して、メールサーバーや、所定フォルダへの転送を行うことができる。又、ネットワーク経由のデータ転送は、種々のプロトコルを用いて行うことができる。プロトコルの例としては、電子メールプロトコルやファィル転送プロトコル（ＦＴＰ）がある。
【００４２】
このようにして、入力が行われた後、操作部６０のモード設定キー６１が操作されてモード設定が解除される。
（ファクス受信）
次に、ファクス受信について説明する。ファクス受信については、公知であるため、簡単に説明する。すなわち、電話回線Ｌ１に接続されたＮＣＵ１１０が、発信先からアナログ信号を受信すると、このアナログ信号は、モデム１００によりデジタル信号に変換され、この符号化されているデジタル信号（受信画像データ）がコーデック９０により復元される。そして、復元された受信画像データが画像メモリ８０に一旦蓄積される。
【００４３】
そして、ＭＰＵ１０は、ファクス受信している際、図６のフローチャートを実行する。なお、このフローチャートは、ＲＯＭ２０に格納されたファクス受信において実行される迷惑ファクス対策プログラムのフローチャートである。
【００４４】
ファクシミリ装置１が、ファクス受信をすると、ＭＰＵ１０は、Ｓ１００において、受信画像データの第１頁の黒率Ｂを算出する。ここで黒率Ｂは、受信画像データを紙に印字する場合に、当該紙の全面積に対する印字される面積の割合である。印字される面積が大きければ黒率が大きくなり、印字される面積が小さくなれば黒率は小さくなる。なお、黒率を演算する際、印字される紙サイズと、受信画像データの解像度が必要となるが、紙のサイズ及び解像度は、受信画像データとともに通信先から受信するＤＳＣ信号（デジタル命令信号）から得られる。すなわち、ＭＰＵ１０は、該ＤＳＣ信号中のビット番号に基づいて、受信画像データの原稿サイズ及び解像度を検出する。
【００４５】
Ｓ１１０では、ＭＰＵ１０は黒率Ｂが設定値Ｐ以上か否かを判定する。この設定値Ｐは、受信画像データが、迷惑ファクスであるか否かを判定するための閾値であって、ＤＭ（ダイレクト  メール）等の広告のように、写真や、図が多いものを選定するための閾値である。この設定値Ｐは、ＤＭ等の迷惑ファクスの黒率を測定して、統計的に得られた値である。設定値Ｐ以上であれば、写真や、図が多く、迷惑ファクスである可能性があるとしている。
【００４６】
Ｓ１２０において、黒率Ｂが設定値Ｐ未満であれば、Ｓ１７０において、ＭＰＵ１０は画像メモリ８０に蓄積している受信画像データを記録部５０に出力して、印字し、このプログラムを終了する。又、このとき、ＭＰＵ１０は、図２に示すＲＡＭ３０の処理内容履歴記憶領域３０ａに発信元、受信日時、受信枚数、及び処理内容を記録する。なお、前記発信元は、受信した際のＴＳＩ信号や或いはコーラＩＤ信号に基づいて得られるファクス番号である。前記受信日時は、ＭＰＵ１０が備えているタイマ（図示しない）から得られる。又、前記受信枚数は、ＭＰＵ１０が受信時にカウントした受信画像データの枚数である。
【００４７】
又、Ｓ１２０において、黒率Ｂが設定値Ｐ以上であれば、ＭＰＵ１０は、現在受信した受信画像データに対して印字禁止フラグをセットし、Ｓ１３０に移行する。この印字禁止フラグは、受信画像データに関して処理内容が、蓄積や転送の場合に、蓄積された該受信画像データや、転送された受信画像データが印字されないようにするためのフラグである。
【００４８】
Ｓ１３０において、ＭＰＵ１０は、ＲＡＭ３０の処理設定テーブルの処理内容が、消去設定か否かを判定する。Ｓ１３０において、ＭＰＵ１０は、消去設定であると判定すると、Ｓ１８０において、ＭＰＵ１０は、画像メモリ８０に一旦格納した受信画像データを削除する。なお、この場合、ＭＰＵ１０は、図２に示すＲＡＭ３０の処理内容履歴記憶領域３０ａに発信元、受信日時、受信枚数、及び処理内容を記録しない。
【００４９】
次に、Ｓ１６０に移行して、メッセージテーブル２００の処理内容「消去」に応じたメッセージ内容を表示部７０で提示させる。すなわち、ＭＰＵ１０は、表示部７０に「受信したＦＡＸは、迷惑ＦＡＸの可能性があるため、受信データを印字せずに消去しました。」を表示（提示）させ、このプログラムを終了する。
【００５０】
なお、本実施形態では、処理内容が消去の場合には処理内容履歴記憶領域３０ａに発信元、受信日時、受信枚数、及び処理内容を記録しないようにしているが、逆に記録するようにしても良い。
【００５１】
Ｓ１３０において、消去設定がされていない場合には、Ｓ１４０において、ＭＰＵ１０は、ＲＡＭ３０の処理設定テーブルの処理内容が、転送設定か否かを判定する。
Ｓ１４０において、ＭＰＵ１０は、転送設定であると判定すると、Ｓ１９０に移行する。Ｓ１９０では、ＭＰＵ１０は、画像メモリ８０に一旦格納した受信画像データを処理設定テーブルに格納された指定先アドレスのＰＣに転送する。又、このとき、ＭＰＵ１０は、図２に示すＲＡＭ３０の処理内容履歴記憶領域３０ａに発信元、受信日時、受信枚数、及び処理内容を記録する。
【００５２】
次に、Ｓ１６０に移行して、メッセージテーブル２００の処理内容「転送」に応じたメッセージ内容を表示部７０で提示させる。すなわち、ＭＰＵ１０は、表示部７０に「受信したＦＡＸは、迷惑ＦＡＸの可能性があるため、受信データを印字せずに指定先に転送しました。」を表示（提示）させ、このプログラムを終了する。
【００５３】
又、Ｓ１４０において、転送設定がされておらず、蓄積設定されている場合には、Ｓ１５０において、ＭＰＵ１０は、画像メモリ８０にそのまま受信画像データを蓄積する。又、このとき、ＭＰＵ１０は、図２に示すＲＡＭ３０の処理内容履歴記憶領域３０ａに発信元、受信日時、受信枚数、及び処理内容を記録する。
【００５４】
そして、Ｓ１６０において、ＭＰＵ１０は、メッセージテーブル２００の処理内容「蓄積」に応じたメッセージ内容を表示部７０で提示する。すなわち、ＭＰＵ１０は、表示部７０に「受信したＦＡＸは、迷惑ＦＡＸの可能性があるため、受信データを印字せずに蓄積しました。」を表示（提示）させ、このプログラムを終了する。
【００５５】
なお、受信画像データが転送されたＰＣ（図示しない）では、ユーザが、該ＰＣの図示しないディスプレイで受信確認後、必要であれば、受信画像データに付された印字禁止フラグを該ＰＣのキーボードの入力によりリセットする。そして、ユーザは、該ＰＣからファクシミリ装置１に再度転送したり、或いは、他のＬＡＮ上に接続されているプリンタ装置にて転送して印字する。
【００５６】
又、受信画像データが画像メモリ８０に蓄積された場合、ユーザが必要であれば、操作部６０のモード設定キー６１にて、印字禁止フラグ解除モードに移行して、このモードの下で、受信画像データに付された印字禁止フラグを操作部６０の図示しない解除キーの入力によりリセットする。そして、ユーザは、操作部６０のモード設定キー６１にて、印字モードに移行して、このモードの下で、受信画像データを記録部５０により印字する。
【００５７】
又、ユーザが必要であれば、操作部６０のモード設定キー６１にて、処理内容履歴履歴印字モードに移行して、このモードの下で、処理内容履歴記憶領域３０ａに記録された内容を記録部５０により印字する。
【００５８】
さて、本実施形態によれば、以下のような特徴がある。
（１）  本実施形態のファクシミリ装置１は、ＭＰＵ１０が、判定手段として、ファクシミリ受信した受信画像データに基づいて迷惑ファクスの可能性を判定するようにしている。すなわち、ＭＰＵ１０は、黒率Ｂが設定値Ｐ以上の場合は、迷惑ファクスの可能性が高いと判定している。そして、この判定結果に基づいて、ＭＰＵ１０は、第１決定手段として、前記受信画像データの処理内容を決定するようにした。この結果、迷惑ファクスと非迷惑ファクスの区分ができ、迷惑ファクスにより増加するコストや、迷惑ファクスにより無駄な作業を抑制できる。
【００５９】
（２）  本実施形態のファクシミリ装置１は、ＭＰＵ１０が、算出手段としてファクシミリ受信した受信画像データの黒率を算出するようにした。そして、黒率の算出結果に基づいて、ＭＰＵ１０は、第１決定手段として、受信画像データの処理内容を決定するようにした。この結果、算出された受信画像データの黒率の大きさにより、迷惑ファクスと非迷惑ファクスの区分ができ、迷惑ファクスにより増加するコストや、迷惑ファクスにより無駄な作業を抑制できる効果を奏する。
【００６０】
（３）  本実施形態のファクシミリ装置１では、ＭＰＵ１０は、前記受信画像データの第１頁（一部）の黒率に基づいて、受信ジョブ全体の処理内容、すなわち、受信画像データの全体の処理内容を決定するようにした。この結果、算出された受信画像データの黒率の大きさにより、迷惑ファクスと非迷惑ファクスの区分ができ、迷惑ファクスにより増加するコストや、迷惑ファクスにより無駄な作業を抑制できる効果を奏する。
【００６１】
（４）  本実施形態のファクシミリ装置１では、ＲＡＭ３０（処理設定テーブル記憶領域３０ｂ）は、第１設定手段として、印字無し（通常印字しない）と決定した場合の処理内容を設定するようにした。そして、ＭＰＵ１０は、黒率の算出結果に基づいて、印字無しと決定した場合、前記設定の内容（設定内容）に基づいて処理内容を決定するようにした。この結果、ＭＰＵ１０が、印字無しと決定した場合、予め設定された処理内容による処理を行うことができる。
【００６２】
（５）  本実施形態のファクシミリ装置１では、ＲＡＭ３０は、記録手段として、決定された処理内容（消去、転送、又は蓄積）を処理履歴情報として記録するようにした。この結果、ＲＡＭ３０に記録した処理履歴情報（消去、転送、或いは蓄積）を、後に読み出して、印字することにより、処理の履歴をユーザは知ることができる。
【００６３】
（６）  本実施形態のファクシミリ装置１では、ＲＡＭ３０（処理設定テーブル記憶領域３０ｂ）を記録設定手段として、前記処理履歴情報（消去、転送、或いは蓄積）を、ＲＡＭ３０の処理内容履歴記憶領域３０ａに記録するか否かを設定するようにした。そして、ＲＡＭ３０は、前記記録設定手段の設定に応じて、前記処理内容（消去、転送、或いは蓄積）を記録するようにした。この結果、後に、そのＲＡＭ３０に記録された処理の履歴を読み出すことにより、該処理の履歴を、ユーザは知ることができる。
【００６４】
（７）  本実施形態のファクシミリ装置１では、記録部５０を提示手段として、処理内容履歴記憶領域３０ａに記録した処理履歴情報を提示（印字）するようにした。この結果、処理内容履歴記憶領域３０ａに記録した処理履歴情報を提示できるため、ユーザは、処理履歴情報を確認することができる。
【００６５】
（第２実施形態）
次に、第２実施形態を図７〜９を参照して説明する。
なお、第１実施形態と同一又は、相当する構成作用については、重複説明を回避するため、異なるところを中心に説明する。本実施形態では、処理設定テーブル記憶領域３０ｂの構成と、迷惑ファクス対策プログラムのフローチャートが異なっている。
【００６６】
処理設定テーブル記憶領域３０ｂの処理設定テーブルは、図８に示すように、黒率Ｂの大きさに応じて、処理内容である「蓄積」、「転送」及び「消去」が任意に設定可能に設けられており、各処理内容は、それぞれ記録フラグの書き込み領域が設けられている。又、「転送」が設定された欄には、指定先アドレスの書き込みが可能である。
【００６７】
（迷惑ファクス対策設定モード）
まず、ユーザは操作部６０のモード設定キー６１を操作して、迷惑ファクス対策設定モードにし、迷惑ファクスに対する処理の履歴の記録をするか否かの設定を行う。具体的には、黒率Ｂの大きさに応じて、「蓄積」、「転送」及び「消去」の各処理のいずれかを設定してもよく、或いは、本実施形態では、黒率Ｂが３つの大きさに区分されている中で、２つの黒率の大きさの処理については、同一の処理に設定しても良い。又、処理の履歴についての記録を行う場合は、処理設定テーブルの各処理内容について、操作部６０を操作して、記録有無の欄に、記録フラグをセットし、記録を行わない場合には、設定を行わないようにする。
【００６８】
又、「転送」の処理を設定した場合は、処理設定テーブルの「指定先アドレス」にＬＡＮ  Ｌ２上のＰＣのアドレスをテンキー６４や文字キー６８により入力される。このようにして、入力が行われた後、操作部６０のモード設定キー６１が操作されてモード設定が解除される。
【００６９】
（ファクス受信）
ＭＰＵ１０は、ファクス受信している際、図９のフローチャートを実行する。なお、このフローチャートは、ＲＯＭ２０に格納されたファクス受信において実行される迷惑ファクス対策プログラムのフローチャートであり、本実施形態では、黒率Ｂの大きさが３つに区分されるとともに、その区分された黒率Ｂの大きさに応じて、それぞれ異なった処理が設定された例のフローチャートである。
【００７０】
なお、第１実施形態のフローチャートと同一のステップについては、同一ステップ番号を付してその説明を省略する。
Ｓ１１２，Ｓ１１４，Ｓ１１６では、受信画像データの第１頁の黒率Ｂの大きさと、設定値Ｐ１，Ｐ２，Ｐ３との大小関係を判定する。なお、Ｐ１＜Ｐ２＜Ｐ３としている。ここで黒率Ｂが設定値Ｐ３以上の場合は、迷惑ファクスの可能性が最も高いと判定され、黒率ＢがＰ２以上、Ｐ３未満の場合は、迷惑ファクスの可能性がＰ３以上の場合よりも低く、黒率ＢがＰ１以上、Ｐ２未満の場合は、さらに、迷惑ファクスの可能性がＰ２以上、Ｐ３未満の場合よりも低いとして判定される。これらの設定値Ｐ１〜Ｐ３の大きさは、統計等から導き出された経験則にて予め設定されている。
【００７１】
このフローチャートでは、Ｓ１１２において、ＭＰＵ１０が、黒率Ｂが設定値未満であると判定すると、Ｓ１７０で通常印字を行う。又、Ｓ１１２でＭＰＵ１０が「ＹＥＳ」と判定して、Ｓ１１４でＰ２＞Ｂ≧Ｐ１と判定すると、Ｓ１５０で、受信画像データの蓄積処理を行う。又、Ｓ１１４でＭＰＵ１０が「ＹＥＳ」と判定して、Ｓ１１６でＰ３＞Ｂ≧Ｐ２と判定すると、Ｓ１９０で、受信画像データの転送処理を行う。又、Ｓ１１６でＭＰＵ１０は、「ＹＥＳ」と判定すると、Ｓ１６０で、受信画像データの消去処理を行う。
【００７２】
図７は、図９のフローチャートにおいて、Ｓ１５０、Ｓ１７０，Ｓ１８０，Ｓ１９０において、処理内容履歴記憶領域３０ａに記録された処理内容履歴の一例であり、第１実施形態と異なり、処理内容には、通常印字、転送の他、消去、及び蓄積についての処理内容も記録されている。
【００７３】
さて、第２実施形態では、第２実施形態では、第１実施形態の（１）〜（３）、（５）〜（７）と同様の効果を奏する他、下記の特徴がある。
（１）  第２実施形態のファクシミリ装置１では、処理設定テーブル記憶領域３０ｂは、第２設定手段として、黒率レベルに対応付けて処理内容が設定されるようにした。そして、ＭＰＵ１０は、第１決定手段として、黒率Ｂの算出結果に基づいて処理内容を決定する際、処理設定テーブル記憶領域３０ｂの設定内容を参照し、黒率レベルに基づいて処理内容を決定するようにした。
【００７４】
この結果、ＭＰＵ１０は、黒率レベルに対応付けられて設定された処理内容による処理を行うことができる。
（第３実施形態）
次に、第３実施形態を図１０のフローチャートを参照して説明する。
【００７５】
第３実施形態は、そのハード構成が第１実施形態のハード構成と同一構成であり、図６で説明したフローチャートの一部が異なっている。
本実施形態では、第１実施形態のＳ１００の代わりに、Ｓ１００Ａの処理がされるとともに、第１実施形態のＳ１２０が省略されて、Ｓ１００Ａが処理された後、Ｓ１１０の処理がされる。
【００７６】
具体的には、Ｓ１００Ａでは、黒率Ｂの算出は、第１実施形態とは異なり、全ての受信画像データの各頁について黒率をそれぞれ算出し、最終的には相加平均値を算出して、この値を、今回受信した受信ジョブ全体の黒率Ｂとしている。なお、各頁の黒率の算出は、頁毎に、受信して画像メモリ８０に格納しながら、行っても良く、或いは、全頁を一旦受信して、画像メモリ８０に格納した後、頁毎に順次読み出して黒率の算出を行っても良い。
【００７７】
第３実施形態では、下記の特徴がある。
（１）  第３実施形態のファクシミリ装置１では、ＭＰＵ１０は、第１決定手段として、受信画像データの全頁の黒率に基づいて、受信ジョブ全体の処理内容を決定するようにした。この結果、全頁の受信画像データに基づいて、受信ジョブ全体の処理内容を決定するため、一部の受信画像データに基づいて、受信ジョブ全体の処理内容を決定する場合に比して、適切な判断（処理内容の決定）ができる。
【００７８】
（第４実施形態）
次に、第４実施形態を図１１及び図１２を参照して説明する。第４実施形態では、そのハード構成は第１実施形態のハード構成と同一構成である。なお、第４実施形態では、記録部５０には、一面が既に印字等されている紙の裏を使用する裏紙がセットされた給紙カセットＡと、更紙がセットされた給紙カセットＢとを備えているものとする。又、本実施形態では、ＲＡＭ３０に、図１２に示すカセット属性テーブル３０ｃが記憶されている。カセット属性テーブル３０ｃは、黒率Ｂと設定値Ｐとの大小関係に応じて２種類の給紙カセットが選択できるようにされている。すなわち、黒率Ｂ≧設定値Ｐのときには、裏紙をセットされた給紙カセットＡが選択されるようにされ、黒率Ｂ＜設定値Ｐの場合には、更紙がセットされた給紙カセットＢが選択されるようにされている。
【００７９】
図１１のフローチャートは、ＲＯＭ２０に格納されたファクス受信において実行される迷惑ファクス対策プログラムのフローチャートである。なお、第１実施形態と同様のステップは同一ステップ番号を付してその説明を省略する。
【００８０】
ＭＰＵ１０は、Ｓ１００の処理の後、Ｓ１１０で、「ＹＥＳ」と判定すると、Ｓ２００において、カセット属性テーブル３０ｃを参照して、給紙カセットＡ（裏紙カセット）を選択し、Ｓ２１０において、記録部５０にて、受信画像データを印字する。
【００８１】
又、ＭＰＵ１０は、Ｓ１１０で、「ＮＯ」と判定すると、Ｓ２２０において、カセット属性テーブル３０ｃを参照して、給紙カセットＡ（裏紙カセット）を選択し、通常印字として記録部５０にて、受信画像データを印字する。
【００８２】
第４実施形態では、下記の特徴がある。
（１）  第４実施形態のファクシミリ装置１では、ＭＰＵ１０は、判定手段として、ファクシミリ受信した受信画像データに基づいて迷惑ファクスの可能性を判定するようにした。具体的には、受信画像データの第１頁の黒率で、迷惑ファクスの可能性を判定した。そして、ＭＰＵ１０は、第２決定手段として、前記判定結果に基づいて、前記受信画像データの印字に使用する用紙を決定するようしにした。この結果、迷惑ファクスと非迷惑ファクスの区分ができ、迷惑ファクスにより増加するコストや、迷惑ファクスにより無駄な作業を抑制できる効果を奏する。 
【００８３】
（２）  第４実施形態のファクシミリ装置１では、ＭＰＵ１０は、算出手段としてファクシミリ受信した受信画像データの黒率を算出するようにした。又、ＭＰＵ１０は、第３決定手段として、前記黒率の算出結果に基づいて、前記受信画像データの印字に使用する用紙を決定するようにした。この結果、算出された受信画像データの黒率の大きさにより、迷惑ファクスと非迷惑ファクスの区分ができ、迷惑ファクスにより増加するコストや、迷惑ファクスにより無駄な作業を抑制できる効果を奏する。
【００８４】
（３）  第４実施形態のファクシミリ装置１では、ＭＰＵ１０は、前記黒率に基づいて、印字に使用する用紙の用紙種類を決定するようにした。この結果、算出された受信画像データの黒率に基づいて、印字に使用する用紙の用紙種類を決定するため、迷惑ファクスに対して低廉な用紙を使用することができ、迷惑ファクスによるコストの低減を図ることができる。
【００８５】
なお、本発明の実施形態は以下のように変更しても良い。
○  前記実施形態では、ネットワークスキャンが可能なファクシミリ装置に具体化したが、ファクシミリ及びコピー機能を備えた複合機である通信端末装置に具体化しても良い。
【００８６】
○  前記実施形態では、提示手段を記録部５０としたが、記録部５０の代わりに、或いは、記録部５０とともに提示手段として、音声発生装置を設け、該音声発生装置に、処理内容に応じたメッセージ内容を発生（提示）させてもよい。又、表示部７０を提示手段としても良い。
【００８７】
○  第１実施形態では、受信画像データの第１頁の黒率を算出するようにしたが、第２頁や、第３頁、或いは全頁ではないが、複数頁の黒率の平均値を算出して、その結果で処理内容を決定しても良い。
【００８８】
○  第１実施形態では、処理設定テーブル記憶領域３０ｂの処理設定テーブルに設定された処理内容は、処理内容履歴記憶領域３０ａに記録するようにした。さらに、加えて、記録するか否かを設定するために、処理設定テーブル記憶領域３０ｂに、さらに、記録フラグ用の記憶領域を設けても良い。このようにすると、設定された処理が行われた際に、記録フラグがセット（設定）されていれば、処理内容履歴記憶領域３０ａの処理内容に前記設定された処理が記録され、記録フラグがセットされていなければ、処理内容履歴記憶領域３０ａの処理内容に設定された処理の記録が残らないようにすることができる。
【００８９】
○  第１実施形態において、転送された受信ジョブのみからなる、構成される履歴情報を処理内容履歴記憶領域３０ａから読み出して記録部５０にて印字したり、或いは、表示部７０にて表示するようにしても良い。
【００９０】
○、第１実施形態において、処理内容毎に、履歴テーブルをＲＡＭ３０に格納したり、或いは、共通の処理内容履歴記憶領域３０ａから、処理内容に基づいて、該当するジョブを抽出して、記録部５０にて印字したり、或いは、表示部７０にて表示するようにしても良い。
【００９１】
○  第２実施形態では、設定値を３つにしたが、設定値を大小関係を有するように４つ以上、或いは２つにしても良い。
○  第２実施形態では、迷惑ファクスの可能性がある場合（黒率ＢがＰ１以上の場合）、処理として、蓄積、転送、消去としたが、これ以外に、トナー濃度を低くして印字することを設定するようにしても良い。この場合、トナー濃度が低く印字されるため、迷惑ファクスであっても、トナーの消費率が、通常の濃度を濃くして印字する場合よりも、抑制できるため、これでも良い。
【００９２】
○  第３実施形態では、受信画像データの各頁の黒率を算出して、相加平均を受信ジョブ全体の黒率とした。これに代えて、ＭＰＵ１０が頁毎の黒率が設定値Ｐを超えるか否かを判定し、設定値Ｐを超えた頁数が受信ジョブ全体の全頁数の割合に基づいて、処理内容を決定するようにしても良い。この場合、「黒率が設定値Ｐを超えた頁数が全頁数に占める割合を受信ジョブ全体の黒率」とする。
【００９３】
そして、この場合は、第３実施形態のＳ１１０の設定値Ｐの代わりに、閾値として、設定値Ｐ５と比較する。この設定値Ｐ５は、迷惑ファクスの場合の例を統計等を取ることにより導き出された経験則にて予め設定する。
【００９４】
例えば、Ｓ１１０の代わりのステップでは、ＭＰＵ１０は全頁の１／２（＝Ｐ５）が設定値Ｐを超えていると判定した場合に、迷惑ファクスの可能性があるとして、Ｓ１３０に移行するようにする。
【００９５】
又、設定値Ｐを超えた頁数が受信ジョブ全体の全頁数の割合ではなく、黒率が、設定値Ｐを超える頁数が、所定頁数を超えた場合には、迷惑ファクスの可能性があるとして、Ｓ１３０に移行するようにしても良い。この所定頁数は、迷惑ファクスの場合の例を統計等を取ることにより導き出された経験則にて予め設定する。
【００９６】
○  第３実施形態においても、第２実施形態と同様に、複数の判定用の設定値を複数用意して、受信ジョブ全体の黒率のレベルに応じて、処理内容を決定するようにしても良い。
【００９７】
○  第４実施形態では、裏紙、及び更紙という紙の種類としたが、高品質、低品質の紙の種類であってもよい。迷惑ファクスの可能性が高いものは、コストの係らない低品質の紙を、裏紙の代わりに給紙カセットにセットすれば、第４実施形態同様に印字のコストを抑制できる。
【００９８】
○  第４実施形態では、カセット属性テーブル３０ｃを設けたが、属性を記憶できないファクシミリ装置では、黒率が高く、迷惑ファクスの可能性が高い場合には、黒率が高いときに使用するカセット番号を予め設定し、そのカセットには、裏紙を収容するようにしても良い。又、裏紙の代わりに、低品質の紙をセットするようにしても良い。
【００９９】
○  第４実施形態では、裏紙の給紙カセット、及び更紙の給紙カセットとしたが、黒率が設定値Ｐよりも大きい場合には、受信画像データの大きさにかかわらず、印字に使用する用紙サイズを固定（例えばＡ４サイズ）するようにしても良い。すなわち、Ａよりも大きなサイズが、受信画像データであった場合、ＭＰＵ１０は、Ａ４に縮小して印字することにより、無駄なトナーの消費を抑制できる。なお、縮小して受信画像データを印字する場合は、元の受信画像データは、そのまま画像メモリ８０に蓄積を保持することが好ましい。画像メモリ８０に蓄積された、受信画像データは、仮に、縮小して印字した場合、印字が小さいため、見難くなる場合があり、この場合は、画像メモリ８０に格納された元データにより、縮小しないで、印字する。
【０１００】
○  又、第４実施形態のファクシミリ装置１では、ＭＰＵ１０は、黒率に基づいて、印字に使用する用紙の用紙サイズを決定するようにしても良い。この場合、カセット属性テーブル３０ｃには、属性の欄には、裏紙の代わりに、サイズの小さな紙とし、更紙の代わりに、サイズの大きな紙とする。そして、ＭＰＵ１０は、黒率Ｂが設定値Ｐよりも大きい場合、サイズの小さな紙がセットされている給紙カセットＡをも図１１のＳ２００において、選択するようにする。このようにすれば、算出された受信画像データの黒率に基づいて、印字に使用する用紙の用紙サイズを決定するため、迷惑ファクスに対して用紙サイズの小さな用紙、すなわち、コストが安い用紙を使用することができ、迷惑ファクスによるコストの低減を図ることができる。
【図面の簡単な説明】
【０１０１】
【図１】本発明を具体化した第１実施形態の通信端末装置における基本構成のブロック図。
【図２】処理内容履歴記憶領域３０ａの説明図。
【図３】処理設定テーブル記憶領域３０ｂの説明図。
【図４】メッセージテーブル２００の説明図。
【図５】迷惑ファクス対策設定モードにおける処理内容設定入力のフローチャート。
【図６】迷惑ファクス対策プログラムのフローチャート。
【図７】第２実施形態の処理内容履歴記憶領域３０ａの説明図。
【図８】第２実施形態の処理設定テーブル記憶領域３０ｂの説明図。
【図９】第２実施形態の迷惑ファクス対策プログラムのフローチャート。
【図１０】第３実施形態の迷惑ファクス対策プログラムのフローチャート。
【図１１】第４実施形態の迷惑ファクス対策プログラムのフローチャート。
【図１２】カセット属性テーブル３０ｃの説明図。
【符号の説明】
【０１０２】
１０…ＭＰＵ（判定手段、算出手段、第１〜３決定手段、）
３０…ＲＡＭ（記録手段、第１、２設定手段、記録設定手段）
５０…記録部（提示手段）
【図１】
2007158817.tif 000003
【図２】
2007158817.tif 000004
【図３】
2007158817.tif 000005
【図４】
2007158817.tif 000006
【図５】
2007158817.tif 000007
【図６】
2007158817.tif 000008
【図７】
2007158817.tif 000009
【図８】
2007158817.tif 000010
【図９】
2007158817.tif 000011
【図１０】
2007158817.tif 000012
【図１１】
2007158817.tif 000013
【図１２】
2007158817.tif 000014